Podtech/llm-jp-corpus-v4-ja_patent huggingface dataset:
(57)【要約】      （修正有）【課題】頑固な便秘について、その排出を簡単、迅速に行う便の排出棒を提供する。【解決手段】中心棒の先端にネジ機構を設置する。そのネジ機構の後部が便の排出のために引き抜きの際、適当な引っかかりを発生するよう形状を構成する。【選択図】図１
0003142334.tif 000002
【実用新案登録請求の範囲】
【請求項１】
中心棒の先端にネジ機構を設置し、そのネジ機構の後部が便の排出のために適当な引っかかりを発生するよう、中心棒の直径よりも適切におおきな直径を構成して、ネジ機構の後部から中心棒がなお数センチ長く連結された、便の排出棒。
【考案の詳細な説明】
【技術分野】
【０００１】この考案は頑固な便秘にたいする安直な解決方法を図ろうとするものである。
【背景技術】
【０００２】硬い便の中に進入することが容易で、引き抜きの際に便に引っかかる機能を求めた。
【考案の開示】
【考案が解決しようとする課題】
【０００３】硬い便にたいしてピンセット、その他によって排出する作業が困難であることにつき、簡単かつ迅速に排出したい。
【課題を解決するための手段】
【０００４】中心棒の先端にネジ機構を設置する。そのネジ機構の後部が便の排出のために引き抜きの際、適当な引っかかりを発生するよう形状を構成する。
【考案の効果】
【０００５】簡単、迅速に便の排出ができる。
【考案を実施するための最良の形態】
【０００６】ネジ機構が、使用の際、周囲を傷つけることのないよう、過度のするどい作りを避けたい。
【実施例】
【０００７】適当にとがった先端から２センチ程度うしろの後部が直径８ミリくらいで、２ミリ直径の中心棒が長さ１０センチ程度が使いよい。
【産業上の利用可能性】
【０００８】安価で有意義である。
【図面の簡単な説明】
【０００９】
【図１】本考案の正面図
【図２】本考案の下面図
【符号の説明】
１  ネジ機構          ２  中心棒
【図１】
0003142334.tif 000003
【図２】
0003142334.tif 000004
(57)【要約】      （修正有）【課題】汚れ錆びを確実に除去し標準締付けトルク５４０〜５９０Ｎｍでの締付けを安定させるホイールボルトクリーニングツールを提供する。【解決手段】ステンレス製チャンネル型ワイヤーブラシをホイールボルト外径寸に内側に巻き込んだ物をリングに溶接し、ブラシ固定側と反対側に段付きシャフトの太い側を溶接付けにて固定し、そのシャフトの太い側にリニアブシュを差し込み、リニアブシュ部を手で支え、ブラシを回転させながらホイールボルト頭に差し込む事によりネジ山に沿って根元まで移動し逆回転で頭側に移動してホイールボルトの汚れ、錆びを除去する。【選択図】図3
0003142381.tif 000002
【実用新案登録請求の範囲】
【請求項１】
トラック用のホイールボルトに付着した汚れ錆びを、ステンレス製チャンネル型ワイヤーブラシを
内側にホイールボルト外径寸に巻き込んだ物をビス止め用孔の付いたリングに溶接付けした消耗部品
（以下、ブラシ部と略す）をひとまわり太い筒の中に挿入外側から  3点のビスにて固定しその太い
筒のブラシ固定側と反対側に、ヒトデ型に切り込んだ板にて蓋を溶接付けにて固定、その固定蓋中心
に段付きシャフトの太い側を溶接付けにて固定、そのシャフトの太い側に市販品リニアブシュ（リニ
アブシュとはシャフトと組合わせて使用され、ボールの転がり運動を利用して無限直線回転運動を実
現するシステム品）を差し込み、段付きシャフト細い側よりリニアブシュが抜けない様にシャフトの
太い側より大きくリニヤブシュの外径より小さな丸ワッシャを溶接にて固定し構成され、段付きシャフ
ト細い側を電動工具等にチャッキングでいきる細さにすることで、リニアブシュ部を手で支えブラシを
回転させながらホイールボルト頭に差し込む事により  ブラシがホイールボルトのネジ山に沿って根元
まで移動また電動工具を逆回転することでブラシがネジ山に沿ってホイールボルト頭側に移動する際に
汚れ、錆びを除去することを備えた  ホイールボルトクリーニングツール。
【考案の詳細な説明】
【技術分野】
【０００１】
この考案は、トラック用のホイールボルトに関し、付着した汚れ錆びを  簡単に確実に除去る
ホイールボルトクリーニングツールに関する。
【背景技術】
【０００２】
市場においてトラック用のホイールボルトのクリーニングツールとし  柄の付いたワイヤーブラシ
等で左右に動かしながら付着した汚れ錆びを除去する作業のため  目視できない裏側の汚れ錆びの
確実な除去は難しく、作業時間がかかる。
【特許文献１】特開２００６−２２４７５５
【考案の開示】
【考案が解決しようとする課題】
【０００３】
市場におけるハブの寿命を低下させる要因の中で、ホイールナットの過締付けの影響が最も大きい事
が判明した結果、ホイールボルトに付着した汚れ錆びを落とさずに締付けをすると標準締付けトルク
５４０〜５９０Nmの約２倍に当たる１０００Nmが推定される。
【０００４】
以上の課題を解決するために、この考案はブラシ部が回転することで  汚れ錆びを確実に除去し標準
締付けトルク５４０〜５９０Nmでの締付けを安定させる  ホイールボルトクリーニングツー
【図面の簡単な説明】
【０００５】
【図１】この考案の実施の形態おけるトラック用のホイールボルトを示す外観斜視図である。
【図２】この考案の実施の形態おけるタイヤ、ホイルを外し  ホイールボルトクリーニングツール可動を              示す外観斜視図である
【図３】この考案ホイールボルトクリーニングツールの符号１〜１0部品詳細表と、構成平面図である。
【図１】
0003142381.tif 000003
【図２】
0003142381.tif 000004
【図３】
0003142381.tif 000005
(57)【要約】【課題】  気持ちよいと感じる時に流れるドーパミンなどの脳内物質を活性化させるため、シートに手を重ねあわせることをきっかけとして、過去の気持ちよかった体験を思い出させることが可能なシートを提供する。【解決手段】  人間の手のひらをシートに印刷し、またそのシートの上に手を触れさせ、自分の過去の気持ちよかった体験を思い出させる文言を印刷してある学習用シート。【選択図】図１
0003142855.tif 000002
【実用新案登録請求の範囲】
【請求項１】
ドーパミン等の脳内物質を活性化させるシートであって、人間の手のひらを印刷した学習用シート。
【考案の詳細な説明】
【技術分野】
【０００１】  本考案は、各種学習用に用いるシートに関するものである。
【背景技術】
【０００２】  このようなシートは存在しない。
【考案の開示】
【考案が解決しようとする課題】
【０００３】  教材等に取り組む学習者のモチベーションを高めるために、合格体験記や合格時の写真などを印刷したシートはあるが、それだけではモチベーションが継続しないという欠点があった。【０００４】  学習を継続させるためには、さらにモチベーションを高める必要があり、そのためには、気持ちよいと感じる時に脳内を流れるドーパミンなどの物質を活性化させることが有効である。しかし、これらの物質を五感の一つである触覚を使って、意識的に活性化させるための学習用シートは存在しない。
【課題を解決するための手段】
【０００５】  上記課題を解決するため、本考案は、シートの上に人間の手のひらを印刷するとともに、そのシートの上に手を触れさせ、自分の過去の気持ちよかった体験を思い出させる文言を印刷したことを特徴とする学習用シートである。【０００６】  シートは、左手用と右手用がある。
【考案の効果】
【０００７】  シートに触れることで、学習者の脳内を流れるドーパミン等の物質を活性化させることができる。【０００８】  過去の気持ちよかった体験の内容を、他人には一切知られることなく思い出すことができる。
【考案を実施するための最良の形態】
【０００９】  本考案の実施例について、図面を参照しながら説明する。
【実施例１】
【００１０】  図１のシートは、左の手のひらを重ねるために使用する。【００１１】  図２のシートは、右の手のひらを重ねるために使用する。
【図面の簡単な説明】
【００１２】
【図１】左の手のひらと対照的に描写した一実施例の平面図である。
【図２】右の手のひらと対照的に描写した一実施例の平面図である。
【図３】図１と図２を見開いて使用した場合の一実施例の平面図である。
【符号の説明】
【００１３】１  左手を載せるためのシート
２  左手を象った手のひら
３  右手を載せるためのシート
４  右手を象った手のひら
【図１】
0003142855.tif 000003
【図２】
0003142855.tif 000004
【図３】
0003142855.tif 000005
(57)【要約】      （修正有）【課題】住宅用の室内ドアを開いた時に、ドア及びハンドル等が壁面に当る事を防ぎ、また開いた状態でドアを簡易に固定する機能を有したドア当り金具を提供する。【解決手段】床に取り付ける部品にヒンジ構造で折れ曲がるフック部を持ちドア側の部品も突出を小さくしてドアの下面に磁石を有した部分を水平にすることでドアと床との隙間に対応し、床側部品のフック部が磁石と面で接地し保持力を確保できる構造になっている。またフック部をドア側のフックに引っ掛けることで確実にドアを固定する機能も有している。【選択図】図１
0003142852.tif 000002
【実用新案登録請求の範囲】
【請求項１】
ドアを任意の位置で保持することを目的としたドア当り金具で、床面に取付ける床側受け金具部品とドア側部品の関係でドアを受け止める。ドアに装着した金具に磁力を保有した部位６を設ける。その磁力により床側部品の可動部分２、３が吸着される事でドアを受け止める機能を有する。また床側部品の可動部分は２枚の部品２、３から構成されヒンジ部を設ける事で任意の高さに自動で対応して可動する。受け側の可動部位はヒンジによる折れ曲がり構造が磁石６との接地が面で行われ強力に吸着する構造になっている。参考図として図２に示す。
【請求項２】
請求項１の記載において、ドア側部品はドアの下部に金具を取り付けることで磁石６の厚みと受け部の凸寸法で最小にすることができる。また従来よりも突出部位が小さくする構造である。図１０に示す。
【請求項３】
請求項１の記載において、床側部品にフック構造３を有することで簡易にドアを固定できる。そのフックはドア側金具の外側に掛けるものとドアの下面に掛けるものがありドアと床との隙間に関係なく使用できる構造である。図１１に示す。
【考案の詳細な説明】
【技術分野】
【０００１】本考案は、住宅用の室内ドアを開いた時にドア及びハンドル等が壁面に当る事を防ぐ。
また開いた状態でドアを簡易に固定する機能を有した金具に関する。
【背景技術】
【０００２】従来は、ドアを壁に当らないようにするため床に突出した棒状の金具を取付ている。
または壁にドアを受ける金具を取付けている。または、ドアに壁に当る金具を取付けている。
【考案の開示】
【考案が解決しようとする課題】
【０００３】従来は、床に取付ける金具が床から突出していて引っかかる危険がある。また清掃などの邪魔となる。また、ドア側に壁に当る金具を取付けている場合は壁が傷むことがある。また、磁力による可動部を吸着する物はドアに取付ける部品が大きく突出し、簡易にドアを固定する事が出来ない。
【課題を解決するための手段】
【０００４】本考案は、床側の金具が薄く３ｍｍ以下の厚さになっている金具に可動部が２枚の部品と２ヶ所のヒンジ部を設けることで磁石と金具が面で接地し滑りながらドアの金具の凸部に当る事でドアを受け止める。さらに、床側金具にフックに引っ掛ける形状を設け、ドア側金具にフック状の引掛かりを設けることで簡易にドアを固定することができる。
【考案の効果】
【０００５】本考案により、床からの突出物が小さいフラットな部品とドア側の受け金具も突出部品が小さく美観を損ねることが減少できる。また従来はフックが無かった薄型タイプの部品でもフック構造でドアを簡易に固定することもでき、安全でインテリアの美観も損ねることの無いドア当りを実現可能にした。
【考案を実施するための最良の形態】
【０００６】本考案は、ドアを受け止める住宅部品として安全性と機能性を有したドア当り金具とすることが最良の形態である。
【実施例】
【０００７】図面は本考案のドア当りの一実施例を示したもので、図１は本発明のドア当り金具を表した斜視図、図２は参考図として使用状態を側面から見た図を示す。図３は正面図、図４は背面図、図５は平面図、図６は底面図、図７は左側面図で、図８は右側面図である。図９断面図を示す。図１０は請求項２の断面図、図１１は請求項３の断面図を示す。図中１は床側部品本体を示し、２はフック折れ金具部を示す。３はフック側金具を示す。また４はドア側金具の本体を示す。５はドア側金具の受け側フック部を示す。６はドア側金具の磁石部を示す。
【産業上の利用可能性】
【０００８】本考案は、ドアを壁面に当ることを防ぐ目的で使用し他に利用できる物として大型家具の戸当りとしての利用が可能である。
【図面の簡単な説明】
【０００９】
【図１】本考案によるドア当りの斜視図
【図２】ドア当りの使用状態の側面図
【図３】ドア当りの床側金具とドア側受け具の正面図
【図４】ドア当りの床側金具とドア側受け具の背面図
【図５】ドア当りの床側金具とドア側受け具の平面図
【図６】ドア当りの床側金具とドア側受け具の底面図
【図７】ドア当りの床側金具とドア側受け具の左側面図
【図８】ドア当りの床側金具とドア側受け具の右側面図
【図９】ドア当りの床側金具とドア側受け具の断面図
【図１０】ドア当りの床側金具とドア側受け具の参考図１
【図１１】ドア当りの床側金具とドア側受け具の参考図２
【符号の説明】
【００１０】１        床側部品本体
２        床側部品のフック部１
３        床側部品のフック部２
４        ドア側部品の本体
５        ドア側部品のフック受け部
６        ドア側部品の磁石部品
【図１】
0003142852.tif 000003
【図２】
0003142852.tif 000004
【図３】
0003142852.tif 000005
【図４】
0003142852.tif 000006
【図５】
0003142852.tif 000007
【図６】
0003142852.tif 000008
【図７】
0003142852.tif 000009
【図８】
0003142852.tif 000010
【図９】
0003142852.tif 000011
【図１０】
0003142852.tif 000012
【図１１】
0003142852.tif 000013
【手続補正書】
【提出日】平成20年3月31日(2008.3.31)
【手続補正１】
【補正対象書類名】実用新案登録請求の範囲
【補正対象項目名】全文
【補正方法】変更
【補正の内容】
【実用新案登録請求の範囲】
【請求項１】
ドアを床面に於ける開放位置で保持することに於いて、（ａ）床面に固定する本体とヒンジを有した可動部を組み込んだ床側金具と、（ｂ）ドアの回転中心とはちがう他端側の下部で床面と水平になる面に取り付ける金具で、磁石を有しているドア側金具からなるドア当り金具で、前記床側金具の可動部にあるヒンジ構造で折れ曲がり水平になる面が、前記ドア側金具の水平に取付けた磁石と面で磁着し滑りながら前記ドア側金具の凸部に当ることでドアを受け止めるドア当り金具。
【請求項２】
ドア側金具はドアの下部で床面と水平な面に取り付けることで磁石の厚みと、床側金具に組み込んだ可動部の折れ曲がり部分の先端を受け止める部位の凸寸法を最小にすることができ、また従来よりもドアに取付ける突出部位が小さくなる構造である事を特徴とする請求項１記載のドア当り金具。
【請求項３】
床側金具に組み込んだヒンジを有する可動部の水平になる面に開口部を設けることで、ドア側にフック状の物を取付けると簡易にドアを固定できる構造である事を特徴とする請求項１記載のドア当り金具。
(57)【要約】      （修正有）【課題】従来の矯正用実習器は、大きくかつ机の上で不安定な姿勢による作業訓練しか出来なく、実習効果が上がりにくかった。（臨床とかけ離れていた。）【解決手段】そこで、小型化（実際の口腔内の大きさ）した金属製フレームのかつ実習用シンプルマネキンに装着可能（装着用ねじ式穴を備えた）で臨床に即した実習が可能な形式にした。【選択図】図１
0003142856.tif 000002
【実用新案登録請求の範囲】
【請求項１】
上下、金属製フレームで上顎部外側にはベンチマウント（取付け器具）に接合できるようねじ込み式穴を備え、ワックスフォーム設置の為、金属棒が上下底部内側の側面に各一対溶接され、上顎部と下顎部の過度の接触防止のストッパーを備えたタイポドント矯正実習用咬合器
【考案の詳細な説明】
【技術分野】
【０００１】本考案は、矯正実習に使用する実習用咬合器に関する。
【背景技術】
【０００２】従来の矯正治療のトレーニングは、金属のフレームで出来た咬合器にワックスフォームをはめ込み、かつ実習用の歯（根がメタル製）を植立しものに、通常臨床で使用する矯正装置とワイヤーをセットし、お湯と水に交互に歯を動かすトレーニング方法を行ってきた。
しかし、従来から使用されている金属フレームの咬合器は大きく、机の上での固定が出来ず、不安定の為、臨床に近い状態では、トレーニングが出来ない欠点を何十年も指摘され続けてきた。
【考案の開示】
【考案が解決しようとする課題】
【０００３】今回実際の臨床に適し、かつ既存の実習用シンプルマネキンに装着し、従来の実習用の歯を動かす利点はそのまま活かした、金属製フレーム（お湯などの熱伝導が良い）を作成した。
【課題を解決するための手段】
【０００４】そこで実際の口の動かしかた、矯正治療のやり方に近づけるため、実習用咬合器を金属製でかつ小型化し上底部には実習用シンプルマネキンに接合できるようねじ込み式穴を備えた形状にした。
【考案の効果】
【０００５】このタイポドント矯正実習用咬合器（実際の口腔内と同様の形状）を実習用シンプルマネキンに装着することにより、より臨床に即した矯正実習が可能となった。
【考案を実施するための最良の形式】
【０００６】本考案にかかわる矯正実習用咬合器は図１に示すようにベンチマウントに接続し、かつヘッドベースと一体化するため、従来品より大幅に小型化した。取付け器具と一体化するよう上顎部外側にはねじ込み式の穴を備えている。実際の訓練の際にワックスフォームにて歯茎部分を作るが、取り外れないように、上顎部内側に金属棒を溶接した（図４）。
【図面の簡単な説明】
【０００７】
【図１】本考案にかかわる矯正実習用咬合器を上部より捕らえた図である。尚大きさ等の比較の為従来品も併記した。
【図２】本考案にかかわる矯正実習用咬合器を正面より捕らえた図である。尚大きさ等の比較の為従来品も併記した。
【図３】本考案にかかわる矯正実習用咬合器を底部より捕らえた図である。尚大きさ等の比較の為従来品も併記した。
【図４】本考案にかかわる矯正実習用咬合器を上下外側より捕らえた図である。金属棒の溶接位置を表示した。
【図５】本考案にかかわる矯正実習用咬合器を側面より捕らえた図でる。ストッパー位置を表示した。
【その他】
〔写真の簡単な説明〕
〔写真１・２・３・４・５〕
本考案にかかわる矯正実習用咬合器を各面より捕らえた写真である。比較の為従来品も撮影した。
〔写真６・７・８〕
本考案にかかわる矯正実習用咬合器とヘッドベースの接続位置関係等を撮影した。
〔写真９・１０・１１〕
本考案にかかわる矯正実習用咬合器と従来品の訓練場所を撮影したものである。
〔写真１２・１３・１４〕
本考案にかかわる矯正実習用咬合器をテーブルサイドに設置する手順、及び実際の訓練風景を撮影したものである。
〔写真９・１０・１１〕
本考案にかかわる矯正実習用咬合器と従来品のワックスフォーム取り付け部分を撮影したものである。
〔写真９・１０・１１〕
本考案にかかわる矯正実習用咬合器と従来品のストッパー部分を撮影したものである。
【図１】
0003142856.tif 000003
【図４】
0003142856.tif 000004
【図５】
0003142856.tif 000005
【手続補正書】
【提出日】平成20年4月28日(2008.4.28)
【手続補正１】
【補正対象書類名】図面
【補正対象項目名】図１
【補正方法】変更
【補正の内容】
【図１】
0003142856.tif 000006
【手続補正２】
【補正対象書類名】図面
【補正対象項目名】図２
【補正方法】変更
【補正の内容】
【図２】
0003142856.tif 000007
【手続補正３】
【補正対象書類名】図面
【補正対象項目名】図３
【補正方法】変更
【補正の内容】
【図３】
0003142856.tif 000008
(57)【要約】      （修正有）【課題】装飾品として一般家庭の応接室やリビングルームなどに、体裁よく置くことができるラック本体を提供するもので、ラック本体に積み重ねられた雑誌や新聞紙を破棄、あるいは移送させるときはその梱包が容易に行えるようにしたこと。【解決手段】上面が開放２された函状のラック本体１と、このラック本体１の略中央の底面から、ラック本体１の両側面の上方に向かって伸びる透溝とで構成されていること。【選択図】図１
0003142858.tif 000002
【実用新案登録請求の範囲】
【請求項１】
上面が開放（２）された函状のラック本体（１）と、
このラック本体（１）の略中央の底面（３）から、ラック本体（１）の両側面（４）（４）の上方に向かって伸びる透溝（５）とで構成され、
上記ラック本体（１）内に積み重ねられた新聞紙あるいは雑誌などを収束したいとき、適宜の紐などを上記透溝（５）の下端から、新聞紙あるいは雑誌などの上方に捲装して結束させた後ラック本体（１）を持ち上げたとき、ラック本体（１）のみをとりだせるよう柔軟な材料でラック本体（１）が造られていること、
を特徴とする簡易ラック。
【考案の詳細な説明】
【技術分野】
【０００１】本案は、新聞や雑誌を収容する簡易ラックの改良に関する。
【背景技術】
【０００２】しかして従来この種の考案ないし発明としては、ゴミ状の新聞や本の収容箱が２つのパーツに分けることができることによって、容易に収束できるようにしたもの、（特許文献１参照）および収容空間部に収容された新聞、雑誌を作業用空間部から手を通して１本の紐を用いて十字に収束するもの（特許文献２参照、および同特許文献３参照）がある。【０００３】しかし従来のそれらは、応接間や居間に置くには相応しいものとは言えず、嵩張った古新聞などを縛ることはできても、予め縛る紐をセットしておかなければならないなど面倒で体裁が悪く、簡単にこれらを収容箱から取り出すことはできなかった。【０００４】
【特許文献１】特開２００７−２１７１８０（要約書）
【特許文献２】特開平８−８５５１０（要約書）
【特許文献３】特開２００２−１６６９０９（要約書）
【考案の開示】
【考案が解決しようとする課題】
【０００５】然るに本考案の目的は上記欠点を除去するもので、装飾品として一般家庭の応接室やリビングルームなどに、体裁よく置くことができるラック本体を提供するもので、ラック本体に積み重ねられた雑誌や新聞紙を破棄、あるいは移送させるときはその梱包が容易に行えるようにしたことである。
【課題を解決するための手段】
【０００６】しかして本考案の特徴は、上面が開放（２）された函状のラック本体（１）と、このラック本体（１）の略中央の底面（３）から、ラック本体（１）の両側面（４）（４）の上方に向かって伸びる透溝（５）とで構成されていることである。【０００７】そしてラック本体（１）内に積み重ねられた新聞紙あるいは雑誌などを収束したいときは、適宜の紐を上記透溝（５）の下端から、新聞紙あるいは雑誌などの上方に捲装し結束させ、次いでラック本体（１）を持ち上げ必要なら、上記透溝（５）を押し開いてラック本体（１）のみ取り出せるようにしたことで、ラック本体（１）このよう屈曲復元できるような材料で造られていることもその特徴である。
【本案の効果】
【０００８】しかして本案の簡易ラックは、ラック本体（１）の両側面（４）（４）の上方に向かって伸びる透溝（５）の存在で、装飾品として一般家庭の応接室やリビングルームなどに、体裁よく置くことができるのである。
【０００９】しかもラック本体（１）に収容され、積み重ねられた雑誌や新聞紙を破棄、あるいは移送させるときは、上記透溝（５）の底の部分に紐などを通せば、すぐ重ねられた雑誌や新聞紙の底部分に掛けられ、ついでその両端を雑誌や新聞紙の側面に沿わせて上方に回し結束させるだけで、その梱包が容易に行えるようにしたことである。
【実施例１】
【００１０】次に本考案の一実施例を述べる。図で（１）は、比較的硬質の革、紙、織布あるいは繊維質の組成物、軟質の樹脂材料などで造られたラック本体で、その上面が開放（２）された角形函状となっている。【００１１】（５）は、このラック本体（１）の幅方向の略中央の底面（３）から、ラック本体（１）の両側面（４）（４）の向かいかつ、該両側面（４）（４）その上方に向かって伸びる透溝で図示のものはその上端部が、搬送のため手あるいは指を挿入することができ、もしくは積み重なった新聞や雑誌を収束するときは、紐（７）を通し易いように比較的大きい円形状の透孔（８）が設けられている。【００１２】しかして本案のラック本体（１）は、装飾品として一般家庭の応接室やリビングルームなど置かれ、図３のように新聞紙や、雑誌（６）を水平方向に収容することが出来るようになっている。【００１３】そこで、数日あるいは数週間分の雑誌や、新聞紙が溜まり、移行あるいは破棄のために収束させたいときは、適宜の紐（７）を用意する。次いで図４のようにこの紐（７）をラック本体（１）の透溝（５）の下端から、新聞紙あるいは雑誌（６）などの上方に捲装し両端を図５のように結束する。【００１４】しかる後、図６のようにラック本体（１）を必要なら透溝（５）を押し開き持ち上げると、上記ラック本体（１）の透溝（５）が左右方向に開いて、ラック本体（１）のみ上方に取り出される。この結果新聞紙あるいは雑誌（６）は露出し、すぐゴミとして破棄するなど簡単に収束、搬送できる状態にできたのである。【００１５】なお、図８に示す実施例の考案は、上記ラック本体（１）の上辺から上方に突出させて対の握手（９）を設けたものであり、（１０）はラック本体（１）の上辺中央の裏面に貼装した補強片で、この補強片（１０）は上記透溝（５）を穿ったとき出来たものを利用することができるのである。
【図面の簡単な説明】
【００１６】
【図１】ラック本体の正面図
【図２】図１のＡ−Ａ線断面図
【図３】新聞、雑誌などを、ラック本体に収容する際の斜視図
【図４】紐を新聞、雑誌などに捲装した際のラック本体の斜視図
【図５】新聞、雑誌などを収束した際のラック本体の斜視図
【図６】ラック本体を持ち上げた際の斜視図
【図７】収束された新聞、雑誌などの斜視図
【図８】他の実施例のラック本体の斜視図
【符号の説明】
【００１７】１    ラック本体
２    開放
３    底面
４    両側面
５    透溝
６    新聞や雑誌
７    紐
８    透孔
９    握手
１０  補強片
【図１】
0003142858.tif 000003
【図２】
0003142858.tif 000004
【図３】
0003142858.tif 000005
【図４】
0003142858.tif 000006
【図５】
0003142858.tif 000007
【図６】
0003142858.tif 000008
【図７】
0003142858.tif 000009
【図８】
0003142858.tif 000010
(57)【要約】      （修正有）【課題】アイマスクを立体的に縫製することにより、まぶたや眼球部の前に、くぼみが形成され、目もと部分の暑くるしさやアイメイクの乱れを緩和さすアイマスクを提供する。【解決手段】表地１のスリット部分をそれぞれ縫い合わせてなる縫合部８及び縫合部９と、裏地４も同様にスリット部分をそれぞれ縫い合わせ、表地も裏地も凸型形状のものを形成さす。凸型形状の裏地にウレタンフォームと塩化ビニールとを縫い合わせる。これによりくぼみが形成され、裏地が目もとにふれにくい凸型形状の裏地材が形成される。それを先の凸型形状の表地の下から、上記の裏地材を重ね、縫い合わせることによって、立体型アイマスクを形成する。【選択図】図１
0003142860.tif 000002
【実用新案登録請求の範囲】
【請求項１】
アイマスク本体を使用した際、目もと部分の前がくぼみ状になるように立体縫製された凸型形状を有するアイマスク。
【請求項２】
アイマスク本体は、表地・遮光のための塩化ビニール・クッション材のウレタンフォーム及び裏地を積層しているそれらの内、表地と裏地の両側に形成されたスリット部分をそれぞれ縫い合わせることにより、表地も裏地も同様に凸型形状を有する請求項１記載のアイマスク。
【請求項３】
アイマスク本体の裏地材として、塩化ビニール・ウレタンフォーム・裏地を積層して構成し、凸型形状の裏地とウレタンフォーム及び塩化ビニールの３枚を重ね縫い合わせ、その縫い合わせる範囲は、裏地の両側のスリット部分を、縫い合わせた所の内側から内側までを縫い合わせることにより、目もと部分の前部にくぼみ状をなしたアイマスクの裏地材を構成する請求項１又は２に記載のアイマスク。
【請求項４】
請求項２記載の凸型形状をなした表地と請求項３記載の凸型形状をなした裏地材とを重ね縫い合わせることにより構成される請求項１記載のアイマスク。
【考案の詳細な説明】
【技術分野】
【０００１】本考案は、外部が明るい時、光を気にせず、睡眼や休息のため、光を遮断するアイマスクに関するものである。
【背景技術】
【０００２】年々、海外旅行や国内旅行に行かれる方が増加し又、ライフスタイルの変化にともなってアイマスクの需要がある。従来より表地・塩化ビニール・ウレタンフォーム・裏地から構成されるアイマスクがあった。
【考案の開示】
【考案が解決しようとする課題】
【０００３】従来のものでは、マスク本体が平面的に作られているため、マスクの裏地がまぶたや眼球部にふれる。そのため、汗脂やファンデーション、アイシャドー、マスカラ等がマスクの裏地に付着して汚れ、衛生的でないという面と、使用者にとっては、目もと部分がむし暑く又、アイメイクを乱したりというような問題点を有していた。本考案は、前記の問題点に着目し、アイマスクを立体的に縫製することにより、眼前部にくぼみを形成した凸型形状のアイマスクを提供することで問題点が解消される。
【課題を解決するための手段】
【０００４】本考案のアイマスク本体は、表地・塩化ビニール・ウレタンフォーム・裏地を積層して構成されるが、問題解決のため、裏側にくぼみを有する凸型形状のアイマスクにすべく、表地の両側のスリット部分を縫い合わせ凸型形状にし、裏地も両側のスリット部分をそれぞれ縫い合わせ凸型形状にする。マスク本体の裏側が、くぼみをもった凸型形状にすべく、凸型形状の裏地とウレタンフォーム及び塩化ビニールを一体化さすため、縫い合わせるが、その縫い合わせる部分は、裏地の両側をそれぞれ縫い合わせた内側から内側までを横一文字に縫い合わせることにより裏地がくぼみをもった凸型形状となり、まぶたや眼球部に裏地がふれにくい構造となる。このくぼみのある凸型形状の裏地材を先の凸型形状の表地の下より入れ、重ね合わせることにより、凸部形状にして裏側は、くぼみのある立体型アイマスクが構成される。
【考案の効果】
【０００５】本考案によれば、平面形状のマスクを立体形状にすることにより、マスク本体とまぶたや眼球部の間に空間が確保され、それにより目もと部分のむし暑さやアイメイクの乱れを軽減さし、それらのストレスから開放されることにより、より快適な安眼がえられる。
【考案を実施するための最良の形態】
【０００６】別紙図示の実施形態を参照して、本考案の詳細を説明する。図１は、本考案の立体型アイマスクの全体図であり斜め面面からみた状態を示す。【０００７】図２は、アイマスク本体の分解図である。アイマスク本体は表地１と塩化ビニール２とウレタンフォーム３と裏地４の多層構造を有している。図に示すように、表地１の両側にあるスリット部分１ａ、１ｂをそれぞれ縫い合わせ凸型の形状にする。【０００８】裏地４の両側にあるスリット部分の４ａ、４ｂもそれぞれ縫い合わせ凸型形状にする。【０００９】アイマスク本体の裏地材として構成されるのは、塩化ビニール２とウレタンフォーム３と裏地４からなる。凸型形状にした裏地をウレタンフォーム３と塩化ビニール２とを重ね合わせ縫い合わせるが、その縫い合わせる範囲は、図３で示すとおり、裏地スリット部分４ａ、４ｂを縫い合わせた１０、１１の内側部分の所を横一文字に縫い合わせ１２、凸型形状の裏地材とする。この形状により、マスクは目もと部分にくぼみが形成され、まぶたや眼球部に裏地がふれにくい構造となる。【００１０】凸型形状の表地と凸型形状の裏地材を重ね縫いすることにより、内側がくぼみ状の凸型形状のアイマスクが構成される。【００１１】図３に示すように、凸型形状のアイマスク本体に鼻当て５と耳かけ具７を縫いつけ、縁取り６を巻きつけ縫い合わせる。【００１２】本考案の立体型アイマスクは、前記構成を有することにより図３の裏面部分が、くぼみ状の構造になり、それにより裏地が目もとにふれにくくなり、目もと部分のむし暑さやアイメイクの乱れ等のストレスが緩和され、より快適な安眼がえられる。
【産業上の利用可能性】
【００１３】本考案は、睡眼や休息のため、光を遮断するアイマスクに関し、海外旅行や国内旅行に行かれる方が増加し又、ライフスタイルの変化にともなってアイマスクの需要があり、産業上可能を有するものである。
【図面の簡単な説明】
【００１４】
【図１】本考案の立体型アイマスクの１例を示す正面斜視図
【図２】本考案の立体型アイマスクを示す分解斜視図
【図３】図１の裏面斜視図
【符合の説明】
【００１５】１−−−表地
２−−−塩化ビニール
３−−−ウレタンフォーム
４−−−裏地
５−−−鼻当て
６−−−縁取り
７−−−耳かけ具
８−−−１ａ縫合部
９−−−１ｂ縫合部
１０−−−４ａ縫合部
１１−−−４ｂ縫合部
１２−−−２、３、４重ね縫合部
１ａ、１ｂ−−−表地のスリット部
２ａ、２ｂ−−−塩化ビニールのスリット部
３ａ、３ｂ−−−ウレタンフォームのスリット部
４ａ、４ｂ−−−裏地のスリット部
【図１】
0003142860.tif 000003
【図２】
0003142860.tif 000004
【図３】
0003142860.tif 000005
(57)【要約】      （修正有）【課題】家庭やオフィスにおいて、設置スペースが小さくてすむ立体分別ゴミ箱を提供する。【解決手段】立体分別ゴミ箱は、その中に、単一ゴミ箱を数箇、斜めに積み重ねたものである。それにより、最小の床面積の上に、最大容積を確保することが可能になり、単一または並列に置かれたゴミ箱の、上方にある遊んでいた空間を有効活用することができる。【選択図】図１
0003142859.tif 000002
【実用新案登録請求の範囲】
【請求項１】
単一ゴミ箱を、斜め角度に積み重ねて、数箇を一箇体にまとめた、立体分別ゴミ箱。
【考案の詳細な説明】
【考案の詳細な説明】
【技術分野】
【０００１】  この考案は、単一のゴミ箱を、斜め角度に積み重ね、数箇を一箇体にまとめた、立体分別ゴミ箱である。
【背景技術】
【０００２】  従来、ゴミ箱は、単一のものを床上に置くか、２箇以上になると、それを平面状に、並べて置く状態であった。また、複数箇を積み重ねる形のものもあったが、それは箱を垂直に立てていたので、せいぜい２箇どまりであった。
【考案が解決しようとする課題】
【０００３】  最近は、消費生活の向上で、家庭やオフィス等でのゴミは、ますます増大して、これを合理的に収集処理するために、ゴミの内容を、細かく何種類にも分別する必要が生まれてきた。
しかし、台所というせまい場所に、複数箇を並べて置くことは、不可能であり、各家庭やオフィスでは、困惑状態であった。
本考案は、このような危機的状況を、一気に解決できる「立体分別ゴミ箱」である。
【考案を実施するための最良の形態】
【０００４】（イ）単一ゴミ箱の、ゴミ捨て口から底面の方を、ゴミの自然落下を可能とする角度の分、下方に傾斜させる。
（ロ）これを、枠箱の中に数箇積み重ね、「立体分別ゴミ箱」とする。
【考案の効果】
【０００５】  こうすれば、１箇のゴミ箱を、傾斜させて置いた際の、必要最小限の床面積で、その数倍のゴミ箱の設置が可能となる。
これは、従来のように、単一または並列に置かれたゴミ箱の、上方にある遊んでいた空間を、有効に活用することにより、可能になったのである。
【図面の簡単な説明】
【図１】本考案「立体分別ゴミ箱」の外ワク斜視図
【図２】「図１・外ワク」のＣ−Ｃ’線の断面図
【図３】「外ワク天板」の投入口のフタ斜視図
【図４】１・２・３段のゴミ箱斜視図  １の箱の底部から、フタＡ部を上にして、セットする。２は、ゴミ袋の上フチを折り曲げた際の、ストッパー。
【図５】最下段の引き出し状のゴミ箱
【図１】
0003142859.tif 000003
【図２】
0003142859.tif 000004
【図３】
0003142859.tif 000005
【図４】
0003142859.tif 000006
【図５】
0003142859.tif 000007
(57)【要約】      （修正有）【課題】雨と寒さから子供を守ることと雨合羽の役割も果たすシールドカバーを提供する。【解決手段】自転車後部荷台のチャイルドシートに子供を座らせ上から覆いかぶすビニール製の自転車用品で形状は、前後左右上部が囲われ下部４だけが開放されている多面体で材質は、塩化ビニール０．１８ｍｍ厚の透明シート１を特徴とする。【選択図】図１
0003142846.tif 000002
【実用新案登録請求の範囲】
【請求項１】
自転車後部荷台に市販のチャイルドシートを取り付して子供を座らせた上から覆いかぶすビニール製のシールドカバーです。
【請求項２】
チャイルドシールドカバー兼用雨合羽。
【考案の詳細な説明】
【技術分野】
【０００１】  本考案は、自転車の後部荷台に市販のチャイルドシートを設け子供を乗せて走る時に寒さと風雨から子供を守るものである。
【背景技術】
【０００２】  自転車の後部に取り付けたチャイルドシートに子供を乗せて移動し、目的地に着いたとき子供の体や顔が冷え切った状態になる。
【考案の開示】
【考案が解決しようとする課題】
【０００３】  雨と寒さから子供を守ることと雨合羽の役割も果たす。
【課題を解決するための手段】
【０００４】  本考案は、自転車に市販の後部取り付け用チャイルドシートとサドルとの間にビニール製の下部が開放されている長方形のカバーを差し込み子供の足元まで下げ全を覆い被せる。
【考案の効果】
【０００５】  上記のように装着することにより風雨や寒さから子供を守ると共に雨の日に雨カッパを着せる必要もなく、また雨カッパのようにビニールが肌に密着しないため体がむれることもないその点では、子供にストレスを与えることなく快適な移動ができる。
脱着が容易にでき合羽を着せるより手間がかからない。
【考案を実施するための最良の形態】
【０００６】  雨の日は、子供に長靴を履かせて頭には、ヘルメットを被せ座らせこのチャイルドシールドカバーを覆いかぶすサドルとチャイルドシートとの間に差し込んだカバーを腰のあたりで押さえて走行する事により風で飛ぶこともなく止め金具等で固定していない分脱着が容易でたたんでコンパクトにでき収納もスペースを取らない事が特徴です。
ただし、気温の高い日や炎天下での長時間の使用は子供の健康上問題を起こす危険性ありますので避けて下さい。
【実施例】
【０００７】  以下、添付図面に従って一実施例を説明する。１は、透明ビニールシールドカバー本体、２は、トップカバーと側面カバーの接合の仕方（コストの安い方を選択する）、３は、側面に設ける空気穴２０φ４箇所、４、カバー下部が開放になっている。
【産業上の利用可能性】
【０００８】  本考案は、チャイルドシールドカバー兼雨合羽の役割を果たす。
【図面の簡単な説明】
【０００９】
【図１】本考案のチャイルドシールドカバー本体の立体図である。
【図２】本チャイルドシールドカバーの実施姿図である。
【図３】本チャイルドシールドカバーの実施姿図である。
【符号の説明】
【００１０】１  透明ビニールシートを示す
２  トップカバーと側面カバーを糸で縫い合わせるもしくは、熱圧着とする。
３  両側面カバー上部４箇所２０φの空気穴
４  下部開放
５  固定ひも
【図１】
0003142846.tif 000003
【図２】
0003142846.tif 000004
【図３】
0003142846.tif 000005
【手続補正書】
【提出日】平成20年3月28日(2008.3.28)
【手続補正１】
【補正対象書類名】実用新案登録請求の範囲
【補正対象項目名】全文
【補正方法】変更
【補正の内容】
【実用新案登録請求の範囲】
【請求項１】
自転車後部荷台のチャイルドシートに子供を座らせ上から覆いかぶすビニール製の用品で形状は、前後左右上部が囲われ下部だけが開放されている多面体で材質は、塩化ビニール０．１８ｍｍ厚の透明シートを特徴とする自転車用品である。
(57)【要約】      （修正有）【課題】入れ歯及び部分入れ歯をして食事すると、食べ物が詰まり入れ歯の密着面が広く違和感がある、入れ歯の密着面を少なくし隙間をなくして食べ物が詰まらないようにする、入れ歯をはめる箇所の密着面を少しでも小さくして違和感を少なくして食べやすくする。【解決手段】入れ歯を吸引式にすることで課題が解決できる。吸引部分１を、柔らかいシリコン樹脂などで歯茎に吸引出来ズレない入れ歯である。【選択図】図３
0003142841.tif 000002
【実用新案登録請求の範囲】
【請求項１】
現在迄にない吸引式入れ歯及び部分入れ歯で、シリコン樹脂及び人造樹脂等により、従来の入れ歯を作るように歯形を取り歯形に合わせて吸引式入れ歯を作る。
【考案の詳細な説明】
【考案の開示】
現在までなかった吸引式入れ歯で、歯及び歯茎の型を取りシリコン及び人造樹脂などで吸引式入れ歯を作り、手で押しながら密着吸引をして入れ歯がずれないようにして使用する、本考案は人間が生きる為の食生活において、入れ歯を使う時が来ますが、違和感が少なく食べ物が噛みやすく物が詰まらない入れ歯の改良である。
【考案が解決しようとする課題】
【０００１】現在の入れ歯及び部分入れ歯で食事をするとき、違和感なく食べやすいと言う人はまずいないでしょう、慣れるまでは入れ歯をすると気持ちが悪く吐き気がしたり、違和感があり、食べにくく、食べ物が詰まり噛みにくくなる、原因は密着面の不具合及び隙間のずれなどで、人口樹脂が硬く厚いし口内部に取り付ける密着面積が広いからで、その為に従来の噛み方ができにくい、口内部に血豆が出来る場合もある、私自身も経験した現状である。
【課題を解決する為の手段】
【０００２】現在の入れ歯になかった吸引式入れ歯で、使用箇所の隙間をなくし薄く柔らかくする、入れ歯の歯茎部分口内上部分の密着面積を小さくする。
【考案の効果】
【０００３】入れ歯の隙間がなく食べ物が詰まらない、歯茎の密着部分の樹脂が薄く柔らかいので噛みやすく違和感がなくなる。ポリデントなどの密着剤を使用しないですむ。
【図面の簡単な説明】
【図１】上部入れ歯の右斜め上から見た側面図。
【図２】上部入れ歯の口内部から見た、入れ歯をはめた断面図。
【図３】上部入れ歯で、口内部から見た断面図。
【符号の説明】
１  吸引部分
２  歯
３  歯茎
【図１】
0003142841.tif 000003
【図２】
0003142841.tif 000004
【図３】
0003142841.tif 000005
【手続補正書】
【提出日】平成20年1月31日(2008.1.31)
【手続補正１】
【補正対象書類名】実用新案登録請求の範囲
【補正対象項目名】全文
【補正方法】変更
【補正の内容】
【実用新案登録請求の範囲】
【請求項１】
現在迄にない吸引式入れ歯及び部分入れ歯で、従来の入れ歯を作るように歯形を取り「歯茎に合わせて吸引出来る入れ歯で吸引を特徴とする入れ歯。」
【手続補正２】
【補正対象書類名】明細書
【補正対象項目名】０００３
【補正方法】変更
【補正の内容】
【０００３】入れ歯の隙間がなく食べ物が詰まらない、歯茎の密着部分の樹脂が薄く柔らかいので噛みやすく違和感がなくなる。「粘膜調整剤などの」密着剤を使用しないですむ。
【手続補正３】
【補正対象書類名】明細書
【補正対象項目名】考案の開示
【補正方法】変更
【補正の内容】
【考案の開示】歯及び歯茎の型を取り歯茎に吸引出来る入れ歯で使用する。
【手続補正書】
【提出日】平成20年4月21日(2008.4.21)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】本考案は、食べ物が詰まらない吸引式入れ歯。
【背景技術】
【０００２】従来の入れ歯は、硬い樹脂で歯茎との隙間が出来食べ物が詰まる。
【考案の開示】
【０００３】現在の入れ歯及び部分入れ歯で食事をするとき、違和感なく食べやすいと言う人は、まずいないでしょう、慣れるまでは入れ歯をすると気持ちが悪く吐き気がしたり、違和感があり、食べにくく、食べ物が詰まり噛みにくくなる、原因は密着面の不具合及び隙間のずれなどで、人口樹脂が硬く厚いし口内部に取り付ける密着面積が広いからで、その為に従来の噛み方が出来にくい、口内部に血豆が出来る場合もある、私自身も経験した現状である。
【課題を解決する為の手段】
【０００４】現在の入れ歯になかった吸引式入れ歯で、使用箇所の隙間をなくし薄く柔らかくする、入れ歯の歯茎部分口内上部分の密着面積を小さくする。
【考案の効果】
【０００５】入れ歯の隙間がなく食べ物が詰まらない、歯茎の密着部分の樹脂が薄く柔らかいので噛みやすく違和感がなくなる、粘膜調整剤などの密着剤を使用しないですむ。
【図面の簡単な説明】
【０００６】
【図１】上部入れ歯の右斜め上から見た側面図。
【図２】上部入れ歯の入歯をはめた、口内部から見た断面図。
【図３】上部入れ歯で、口内部から見た断面図。
【符号の説明】
【０００７】        １  吸引部分
２  歯
３  歯茎
【手続補正２】
【補正対象書類名】手続補正書
【補正対象項目名】手続補正３
【補正方法】削除
【補正の内容】
(57)【要約】【課題】      地上でも簡単に風力をとらえ簡単な設備にて従来よりも発電機を多く装着出来、発電能力のアップが出来る様考案されたものである。【解決手段】      略四角形の本体１は地上に基礎を作り、その上に組立て、工事も簡単に出来ベルト３上に装備されたライン４に風を受けベルト３が廻るとプーリー５・６も廻り、プーリーのフライホイル効果によりプーリー軸のトルクがあがり発電出力が増す事になる。【選択図】図１
0003142849.tif 000002
【実用新案登録請求の範囲】
【請求項１】
地上に水平に配置された風力発電装置のベルト上に風受けフィンを無数配置し、ベルトをスムーズに回転させるためベルトの左右にプーリーを設け、一方のプーリーはフライホイル効果を利用出来る様重量ある材質にて作られる。重量あるプーリーの軸の両側にそれぞれ発電機を設置し、発電効率を上昇させる装置と同時に、風の方向に自動的に回転する風力発電装置である。
【考案の詳細な説明】
【技術分野】
【０００１】  地上にて水平に設置された発電装置で風の方向に自動的に対応し、ベルト上に無数の風受けフィンを設けたベルトの両端をプーリーにて支えられ、片方のプーリーは重量ある材料にて作られていて、フライホイル効果を利用しプーリー軸のトルクを上昇させ、プーリー軸両側に設けた発電機が回転し、発電出力を上昇させる事が出来る装置である。
【背景技術】
【０００２】  従来は鉄塔を組んで、高所にて風を受けプロペラを回転させた風力発電装置で発電機が１個所に設置されているが、発電出力に限度があった。
【考案の開示】
【考案が解決しようとする課題】
【０００３】  従来の風力発電装置はプロペラ式なので発電機の装置は１個に限られていて、発電能力に限界があった。本考案はそれを解決するためにキャタビラ式で地上に水平に設置するので、発電機を４個は装着出来るので、発電出力を４倍にする事が可能となり、地上装備なのでメンテナンスや修理が容易になる。
【課題を解決するための手段】
【０００４】  地上に直に水平に、簡単に設置できる。
発電機は最大、４台を装着出来、発電機のトルクもフライホイル効果で発電機の出力も上昇出来る。
【考案の効果】
【０００５】発電装置の設置が簡単で発電機の装着が４台まで出来、それぞれの発電機の出力を上げる事が出来る。
【考案を実施するための最良の形態】
【０００６】地上を吹きぬける風をベルト上の風受けフィンに風を受けベルトが廻り同時にプーリーを廻しプーリーの軸に取付けられた両側の発電機が廻り発電する装置。
【図面の簡単な説明】
【０００７】
【図１】  風力発電装置の側面図である。
【図２】  風力発電装置の平面図である。
【図３】  風力発電装置のＡ−Ａ断面図である。
【図４】  風力発電装置のＢ−Ｂ断面図である。
【符号の説明】
【０００８】１．本体
２．ガイド
３．ベルト
４．風受けフィン
５．金属装プーリー
６．プーリー（軽量）
７．風受けガイド
８．ベルト受けローラー
９．ベルト受けローラーシャフト
１０．発電機
１１．回転装置
１２．回転用ローラー
１３．基礎コンクリート
【図１】
0003142849.tif 000003
【図２】
0003142849.tif 000004
【図３】
0003142849.tif 000005
【図４】
0003142849.tif 000006
【手続補正書】
【提出日】平成20年3月21日(2008.3.21)
【手続補正１】
【補正対象書類名】実用新案登録請求の範囲
【補正対象項目名】全文
【補正方法】変更
【補正の内容】
【実用新案登録請求の範囲】
【請求項１】
地上に水平に配置された風力発電装置のベルト上に風受けフィンを無数配置し、ベルトをスムーズに回転させるためベルトの左右にプーリーを設け、一方のプーリーはフライホイル効果を利用出来る様重量ある材質にて作られ、重量あるプーリーの軸の両側にそれぞれ発電機を設置し、発電効率を上昇させる装置と同時に、風の方向に自動的に回転する風力発電装置。
(57)【要約】      （修正有）【課題】流し台の排水かごに貯まったゴミをグリップ付きの押圧板で押すことにより、ゴミの水分を絞り出すことのできるゴミの水切り具を提供する。【解決手段】押圧板１ｃとその中心部に立ち上げたロッド１ｂの頂端に取り付けたグリップ部１ａから構成される本体１でゴミに圧力をかけることにより、流し台の排水かごのゴミの水分を多く排出することができる。【選択図】図１
0003142889.tif 000002
【実用新案登録請求の範囲】
【請求項１】
流し台の排水かごに貯まったゴミを押圧する押圧具であって、前記押圧具は、押圧板とその中心部に立ち上げたロッドの頂端に取り付けたグリップ部とにより構成したことを特徴とする流し台のゴミの水切り具。
【考案の詳細な説明】
【考案詳細の説明】
【技術分野】
【０００１】  本考案は、流し台のゴミの水切り具に関するものである。
【背景技術】
【０００２】  流し台の排水かごのゴミ処理の方法は、▲１▼かごにネットを取り付けてゴミが貯まったら水分を手で絞りネットごと捨てる。▲２▼排水かごから直接ゴミ袋に捨てる。▲３▼流し台にディスポーザーが設置されている。▲１▼と▲２▼は、充分に水分が切れてない状態で処理すると、ゴミの増量になる。
【考案の開示】
【考案が解決しようとしている課題】
【０００３】  本考案は、排水かごのゴミに含まれている水分をより多く排出する事ができるようにしたものである。
【課題を解決するための手段】
【０００４】  本考案の流し台のゴミの水切り具は、排水かごに貯まったゴミを押圧する押圧具であって、前記押圧具は、押圧板とその中心部に立ち上げたロッドの頂端に取り付けたグリップ部とにより構成したことを特徴とする。
【考案の効果】
【０００５】  本考案の水切り具を使用する事により、４人家族で１日（２０〜５０ｃｃ×３回）
約６０〜１５０ｃｃの水分を減らす事ができ、１週間で約１０００ｃｃのゴミ捨て量を減らすことができる。グリップでゴミを押すので楽に絞れて、手を汚すことなく絞ることができる。
【考案を実施するための最良の形態】
【０００６】  以下、本考案の流し台のゴミの水切り具の実施例を図１によって説明する。１は全体が硬化プラスチック等の素材にて形成された本体で総重量は２５０ｇ前後である。１ａのグリップ部分は片手で握りやすい球体で長辺は５０ｍｍから６０ｍｍである。１ｂのロッド部分は、直径２０ｍｍ高さ１００ｍｍの円柱である。１ｃの押圧板は直径１００ｍｍで半球体である。２は排水かご。３は貯まったゴミである。【０００７】  グリップ１ａを握り、ゴミ３の上から押圧板１ｃを押し、体重を乗せる事で、ゴミが含んだ水分を排出させる。さらに押圧板１ｃを前後左右に動かすことにより、より多く水分を押し出すことができる。
【図面の簡単な説明】
【０００８】
【図１】本考案に係る流し台のゴミの水切り具の正面図である。
【符号の説明】
【０００９】１    本体
１ａ  グリップ
１ｂ  ロッド
１ｃ  押圧板
２    排水かご
３    ゴミ
【図１】
0003142889.tif 000003